(57)【要約】【課題】壁面や床面の形状に合わせて自由に屈曲する角度を変えることができる手摺りを提供すること。【解決手段】硬質パイプ１と硬質パイプ１との間に、これらと略同径で且つ曲げ変形時において外形状がほとんど潰れない筒状物２を介在させて一体化し、前記硬質パイプ１，１及び筒状物２に弾力性を有する弾性層３で被覆して成るものとしている。ここで、筒状物２の中心線上の伸びを抑えるべく硬質パイプ１，１相互間に伸びにくい線状体を張ってある。また筒状物２が、コイルバネ２０である。【選択図】　図１
2004060150.tif 000002
【特許請求の範囲】
【請求項１】
硬質パイプ１と硬質パイプ１との間に、これらと略同径で且つ曲げ変形時において外形状がほとんど潰れない筒状物２を介在させて一体化し、前記硬質パイプ１，１及び筒状物２に弾力性を有する弾性層３で被覆して成ることを特徴とする手摺り。
【請求項２】
筒状物２の中心線上の伸びを抑えるべく、硬質パイプ１，１相互間に伸びにくく且つ強度を有する線状体５を張ってあることを特徴とする請求項１記載の手摺り。
【請求項３】
筒状物２が、コイルバネ２０であることを特徴とする請求項１又は２記載の手摺り。
【発明の詳細な説明】
【０００１】
【発明の属する技術分野】
この発明は、トイレ、浴室、階段等に使用される手摺り、特に、壁面や床面の形状に合わせて自由な角度で屈曲できる手摺りに関するものである。
【０００２】
【従来の技術】
手摺りは、一般的に金属パイプに被覆層を形成して成り、平面状の壁面に取り付ける場合には直線状のものが、曲がり角に取り付ける場合には９０°に屈曲したものが、それぞれ使用されている。
【０００３】
すなわち、手摺りの形状は使用する場所によって定まっており、その他の場所ではほとんどの場合使用できないというのが現状であった。
【０００４】
したがって、手摺りを取り扱う業界では、壁面や床面の形状に合わせて自由に屈曲する角度を変えることができる手摺りが開発されることを待ち望んでいる。
【０００５】
【発明が解決しようとする課題】
そこで、この発明では、壁面や床面の形状に合わせて自由に屈曲する角度を変えることができる手摺りを提供することを課題とする。
【０００６】
【課題を解決するための手段】
（請求項１記載の発明）
この発明の手摺りは、硬質パイプ１と硬質パイプ１との間に、これらと略同径で且つ曲げ変形時において外形状がほとんど潰れない筒状物２を介在させて一体化し、前記硬質パイプ１，１及び筒状物２に弾力性を有する弾性層３で被覆して成るものとしている。
（請求項２記載の発明）
この発明の手摺りは、上記請求項１記載の発明に関し、筒状物２の中心線上の伸びを抑えるべく硬質パイプ１，１相互間に伸びにくい線状体を張ってある。
（請求項３記載の発明）
この発明の手摺りは、上記請求項１又は２記載の発明に関し、筒状物２が、コイルバネ２０である。
【０００７】
この発明の手摺りの機能については、発明の実施の形態の欄で明らかにする。
【０００８】
【発明の実施の形態】
この発明の実施形態の手摺りを図面に従って説明する。
〔実施形態１〕
図１は、この発明の実施形態の手摺りＨの主要部の断面図、図２は、前記手摺りＨの主要部の分解斜視図。
（手摺りＨの基本的な構成について）
この手摺りＨは、図１又は図２に示すように、硬質パイプ１と硬質パイプ１との間にこれらと略同径のコイルバネ２０（筒状物２と対応する）を介在させて一体化し、前記硬質パイプ１及びコイルバネ２０に弾力性を有する弾性層３で被覆して成るものとしている。
【０００９】
ここで、この実施形態では、図１又は図２に示すように、各硬質パイプ１の端部に保持体４を挿入してネジＢで止めると共に、前記保持体４の硬質パイプ１からの突出部外周面にコイルバネ２０がねじ込める螺旋溝４０を形成し、コイルバネ２０の一端側を一方の硬質パイプ１の保持体４に、他端側を他方の硬質パイプ１の保持体４に、それぞれ螺入する態様で硬質パイプ１とコイルバネ２０を一体化している。
【００１０】
また、各保持体４は、筒体で構成されていると共にその直径部には棒体６を掛け渡されており、棒体６，６相互間にリング状にしたワイヤー５０（線状体５に対応する）を張設してある。前記ワイヤー５０の存在により上記したコイルバネ２０の中心線上の伸びを抑えるようにしてある。
（手摺りＨの材料その他について）
硬質パイプ１は、アルミ製のパイプにより構成されており、直径を２５ｍｍ程度に設定してある。
【００１１】
筒状物２であるコイルバネ２０は、バネ鋼により構成されており、硬質パイプとほぼ同じ径とすると共に長さを１５０ｍｍ程度としてある。なお、コイルバネ２０の長さは曲げる半径に応じて適宜決定することができる。
【００１２】
弾性層３は、ウレタンエラストマ−により構成されており、内径を２５ｍｍ、外径を３２ｍｍとした厚み３．５ｍｍに設定している。
【００１３】
保持体４は、合成樹脂により構成されており、硬質パイプ１に嵌入できる径に設定されている。
【００１４】
ワイヤ−５０は、一般的に販売されているものが使用されており、直径を２ｍｍとしている。なお、伸びにくく且つ強度を有するものであれば樹脂繊維でもよい。
【００１５】
棒体６は、細い鋼製の棒により構成されている。
（手摺りＨの機能について）
この手摺りＨを使用して部屋Ｒ（この例では浴室）の角部Ｋを含む範囲に手摺りを設置する場合、図３に示すように、筒状物２であるコイルバネ２０と対応する部分を角部Ｋの角度に対応させて曲げ、後述する取付具７及び類似する取付具７Ａで取り付ける。また、この手摺りＨは図４に示すような態様で使用することもできる。
【００１６】
この状態において、曲がっているコイルバネ２０を覆っているウレタンエラストマ−である弾性層３は当該コイルバネ２０の曲げに倣って湾曲するが、０°〜１２０°程度の曲げでは皺等は発生しない。したがって、見栄えが非常によい。
【００１７】
また、ワイヤ−５０の存在によりコイルバネ２０は伸びるようなことがなく、しっかりとした手摺りになる。
【００１８】
なお、この手摺りＨは、屈曲部近傍では図５に示すように、取付具７を介して壁面にネジ止めされる。この取付具７は、図５に示すように先端部に配管受け部を有しネジＢ２で手摺りＨを止着する配管止め具７０と、壁面にネジＢ１で止着するベース部７１とから構成されており、前記配管止め具７０にベース部７１を嵌め込んだ状態で両者をネジＢ３でネジ止めするようにしたものである。
〔他の実施形態〕
▲１▼．上記実施形態１では、曲がり部が一個の手摺りであるが、これに限定されることなく、曲がり部は二個以上でもよい。
【００１９】
曲がり部を二個とした場合、図７に示すように、階段に使用できる。
▲２▼．上記実施形態１では、筒状物２をコイルバネ２０で構成してあるが、これに限定されることなく、比較的容易に曲げることができ、曲げ変形時において外形状がほとんど潰れないものであればよい。例えば、筒状物２は図７に示すような断面Ｓ字状の環状体８０を組み合わせて成るインターロック式のフレキシブルメタルホース８としてもよい。
▲３▼．上記実施形態１では、コイルバネ２０の中心線上の伸びを抑えるべく硬質パイプ１，１相互間に伸びにくく強いワイヤー５０を張ってあるが、これに限定されることなくコイルバネ２０の両端近傍の硬質パイプ１，１部分を取付具７で固定すれば、線状体５を必ずしも必要としない。
【００２０】
【発明の効果】
この発明は上記のような構成であるから次の効果を有する。
【００２１】
発明の実施の形態の欄に記載した内容から、壁面や床面の形状に合わせて自由に屈曲する角度を変えることができる手摺りを提できた。
【図面の簡単な説明】
【図１】図１は、この発明の実施形態の手摺りの主要部の断面図。
【図２】図２は、前記手摺りの主要部の分解斜視図。
【図３】前記手摺りの設置態様を示す斜視図。
【図４】前記手摺りの設置態様を示す斜視図。
【図５】手摺りを壁面に取付具で取り付ける態様を示す部分断面図。
【図６】階段が設けられている場所の側壁面に手摺りを取り付けた状態を示す正面図。
【図７】他の実施形態の筒状物の部分断面図。
【符号の説明】
１　　　硬質パイプ
２　　　筒状物
３　　　弾性層
５　　　線状体
２０　　コイルバネ
【図１】
2004060150.tif 000003
【図２】
2004060150.tif 000004
【図３】
2004060150.tif 000005
【図４】
2004060150.tif 000006
【図５】
2004060150.tif 000007
【図６】
2004060150.tif 000008
【図７】
2004060150.tif 000009